(57)【要約】【課題】より簡単な操作で、チャプタを編集することができるようにする。【解決手段】記録再生装置は、チャプタを編集する場合、チャプタどうしの境界点を表すチャプタマーク１２３が配置された、コンテンツ全体の長さに対応する走行バー１２１をチャプタ編集画面１０１の一部として表示させる。走行バー１２１上のチャプタマーク１２３を移動、消去、または挿入することにより、チャプタを編集することができる。本発明は、例えば、番組のデータを編集する情報処理装置に適用できる。【選択図】図６
2008065964.tif 000002
【特許請求の範囲】
【請求項１】
複数のチャプタによって構成されるコンテンツに対して、前記チャプタの編集処理を行う情報処理装置において、
前記チャプタどうしの境界点を表すチャプタマークが配置された、前記コンテンツ全体の長さに対応する走行バーを画面に表示させる表示制御手段と、
前記走行バー上の前記チャプタマークを移動、消去、または挿入することにより、前記チャプタを編集する編集手段と
を備える情報処理装置。
【請求項２】
前記表示制御手段は、前記チャプタに関する情報であるチャプタ情報をさらに表示させ、
前記編集手段は、消去対象の前記チャプタ情報をさらに選択し、
選択された１以上の前記チャプタを一括して消去する消去手段をさらに備える
請求項１に記載の情報処理装置。
【請求項３】
前記編集手段は、前記チャプタマークを消去することにより、消去されるチャプタマークを挟む２つのチャプタを結合する
請求項１に記載の情報処理装置。
【請求項４】
前記編集手段は、前記チャプタマークを挿入することにより、１つのチャプタを、挿入されたチャプタマークの位置で分割される２つのチャプタに分割する
請求項１に記載の情報処理装置。
【請求項５】
前記編集手段は、設定されている前記チャプタマークを消去し、その結果結合されたチャプタ内の消去された位置と異なる位置に新たなチャプタマークを挿入することにより、チャプタの長さを変更する
請求項１に記載の情報処理装置。
【請求項６】
前記編集手段は、前記走行バー上の前記チャプタマークを選択して移動することにより、チャプタの長さを変更する
請求項１に記載の情報処理装置。
【請求項７】
複数のチャプタによって構成されるコンテンツに対して、前記チャプタの編集処理を行う情報処理装置の情報処理方法において、
前記チャプタどうしの境界点を表すチャプタマークが配置された、前記コンテンツ全体の長さに対応する走行バーを画面に表示させ、
前記走行バー上の前記チャプタマークを移動、消去、または挿入することにより、前記チャプタを編集する
ステップを含む情報処理方法。
【請求項８】
複数のチャプタによって構成されるコンテンツに対して、前記チャプタの編集処理を、コンピュータに実行させるプログラムにおいて、
前記チャプタどうしの境界点を表すチャプタマークが配置された、前記コンテンツ全体の長さに対応する走行バーを画面に表示させ、
前記走行バー上の前記チャプタマークを移動、消去、または挿入することにより、前記チャプタを編集する
ステップを含むプログラム。
【請求項９】
複数のチャプタによって構成されるコンテンツに対して、前記チャプタの編集処理を行う情報処理装置において、
前記コンテンツの画像と、
前記コンテンツ全体の長さに対応する走行バー、前記走行バー上に配置された、前記コンテンツ全体に対する前記画像の位置を表す再生ポイント、および、前記チャプタどうしの境界点を表すチャプタマークと、
複数の前記チャプタについてのチャプタ情報と
を画面に表示させるとともに、
フォーカスされたチャプタであるフォーカスチャプタ、消去対象のチャプタとして選択された選択チャプタ、および、前記フォーカスチャプタおよび前記選択チャプタ以外のその他のチャプタを色分けして表示させる表示制御手段と
を備える情報処理装置。
【請求項１０】
前記表示制御手段は、前記フォーカスチャプタが変更されたとき、前記画像として、変更後のチャプタの先頭の画像を表示させる
請求項９に記載の情報処理装置。
【請求項１１】
前記表示制御手段は、所定のチャプタマークを削除して２つのチャプタを結合する場合、結合される２つのチャプタを、前記選択チャプタおよび前記その他のチャプタと色分けして表示させる
請求項９に記載の情報処理装置。
【請求項１２】
前記結合される２つのチャプタの色と前記フォーカスチャプタの色は、異なる系統の色である
請求項１１に記載の情報処理装置。
【請求項１３】
複数のチャプタによって構成されるコンテンツに対して、前記チャプタの編集処理を行う情報処理装置の情報処理方法において、
前記コンテンツの画像と、
前記コンテンツ全体の長さに対応する走行バー、前記走行バー上に配置された、前記コンテンツ全体に対する前記画像の位置を表す再生ポイント、および、前記チャプタどうしの境界点を表すチャプタマークと、
複数の前記チャプタについてのチャプタ情報と
を画面に表示させるとともに、
フォーカスされたチャプタであるフォーカスチャプタ、消去対象のチャプタとして選択された選択チャプタ、および、前記フォーカスチャプタおよび前記選択チャプタ以外のその他のチャプタを色分けして表示させる
ステップを含む情報処理方法。
【請求項１４】
複数のチャプタによって構成されるコンテンツに対して、前記チャプタの編集処理を、コンピュータに実行させるプログラムにおいて、
前記コンテンツの画像と、
前記コンテンツ全体の長さに対応する走行バー、前記走行バー上に配置された、前記コンテンツ全体に対する前記画像の位置を表す再生ポイント、および、前記チャプタどうしの境界点を表すチャプタマークと、
複数の前記チャプタについてのチャプタ情報と
を画面に表示させるとともに、
フォーカスされたチャプタであるフォーカスチャプタ、消去対象のチャプタとして選択された選択チャプタ、および、前記フォーカスチャプタおよび前記選択チャプタ以外のその他のチャプタを色分けして表示させる
ステップを含むプログラム。
【発明の詳細な説明】
【技術分野】
【０００１】
本発明は、情報処理装置、情報処理方法、およびプログラムに関し、特に、より簡単な操作で、チャプタを編集することができるようにする情報処理装置、情報処理方法、およびプログラムに関する。
【背景技術】
【０００２】
従来、例えば、HDD（Hard Disk Drive）を内部に備え、HD（Hard Disk）に対してコンテンツの記録再生が可能となされるとともに、DVD（Digital Versatile Disc）を装着可能なドライブを備え、DVDに対してもコンテンツの記録再生が可能となされる記録再生装置がある。このような記録再生装置を用いて、ユーザは、例えば、受信されたテレビジョン放送番組のデータや外部入力されたデータをHDに記録（録画）するとともに、HDに記録されたデータに対して、ユーザが所望する部分だけとなるように編集して、視聴したり、DVDへ記録させる（DVDへダビングする）ことができる。
【０００３】
記録されたデータの編集処理では、編集対象としてのデータ領域を指定するために、データに付された区切り位置を利用するものがある。具体的には、１つの区切り位置から次の区切り位置までの間をチャプタと表し、複数のチャプタで構成される番組のデータに対して、チャプタ単位で編集が行われる。この区切り位置をチャプタマークという。
【０００４】
ユーザは、記録されたデータに対して独自にチャプタマークを指定することも可能であるが、操作性向上のため、映像のシーン（絵柄）が大きく変化するフレーム（シーンチェンジ）の位置を検出する技術を用いて、チャプタマークが記録再生装置によって自動的に付される機能もある（例えば、特許文献１参照）。
【特許文献１】特開２００３−２９９０００号公報
【発明の開示】
【発明が解決しようとする課題】
【０００５】
しかしながら、自動的に付されたチャプタマークが自分の所望する位置と異なる場合などもあり、ユーザ自身が、既に設定されているチャプタマークを移動、消去または挿入してチャプタを編集することがあるが、従来、例えば、複数のチャプタマークの移動や消去を１画面で行うことはできなかった。
【０００６】
本発明は、このような状況に鑑みてなされたものであり、より簡単な操作で、チャプタを編集することができるようにするものである。
【課題を解決するための手段】
【０００７】
本発明の第１の側面の情報処理装置は、複数のチャプタによって構成されるコンテンツに対して、前記チャプタの編集処理を行う情報処理装置において、前記チャプタどうしの境界点を表すチャプタマークが配置された、前記コンテンツ全体の長さに対応する走行バーを画面に表示させる表示制御手段と、前記走行バー上の前記チャプタマークを移動、消去、または挿入することにより、前記チャプタを編集する編集手段とを備える。
【０００８】
前記表示制御手段には、前記チャプタに関する情報であるチャプタ情報をさらに表示させ、前記編集手段には、消去対象の前記チャプタ情報をさらに選択させ、選択された１以上の前記チャプタを一括して消去する消去手段をさらに設けることができる。
【０００９】
前記編集手段には、前記チャプタマークを消去することにより、消去されるチャプタマークを挟む２つのチャプタを結合させることができる。
【００１０】
前記編集手段には、前記チャプタマークを挿入することにより、１つのチャプタを、挿入されたチャプタマークの位置で分割される２つのチャプタに分割させることができる。
【００１１】
前記編集手段には、設定されている前記チャプタマークを消去し、その結果結合されたチャプタ内の消去された位置と異なる位置に新たなチャプタマークを挿入することにより、チャプタの長さを変更させることができる。
【００１２】
前記編集手段には、前記走行バー上の前記チャプタマークを選択して移動することにより、チャプタの長さを変更させることができる。
【００１３】
本発明の第１の側面の情報処理方法は、複数のチャプタによって構成されるコンテンツに対して、前記チャプタの編集処理を行う情報処理装置の情報処理方法において、前記チャプタどうしの境界点を表すチャプタマークが配置された、前記コンテンツ全体の長さに対応する走行バーを画面に表示させ、前記走行バー上の前記チャプタマークを移動、消去、または挿入することにより、前記チャプタを編集するステップを含む。
【００１４】
本発明の第１の側面のプログラムは、複数のチャプタによって構成されるコンテンツに対して、前記チャプタの編集処理を、コンピュータに実行させるプログラムにおいて、前記チャプタどうしの境界点を表すチャプタマークが配置された、前記コンテンツ全体の長さに対応する走行バーを画面に表示させ、前記走行バー上の前記チャプタマークを移動、消去、または挿入することにより、前記チャプタを編集するステップを含む。
【００１５】
本発明の第１の側面においては、チャプタどうしの境界点を表すチャプタマークが配置された、コンテンツ全体の長さに対応する走行バーが画面に表示され、その走行バー上のチャプタマークを移動、消去、または挿入することにより、チャプタが編集される。
【００１６】
本発明の第２の側面の情報処理装置は、複数のチャプタによって構成されるコンテンツに対して、前記チャプタの編集処理を行う情報処理装置において、前記コンテンツの画像と、前記コンテンツ全体の長さに対応する走行バー、前記走行バー上に配置された、前記コンテンツ全体に対する前記画像の位置を表す再生ポイント、および、前記チャプタどうしの境界点を表すチャプタマークと、複数の前記チャプタについてのチャプタ情報とを画面に表示させるとともに、フォーカスされたチャプタであるフォーカスチャプタ、消去対象のチャプタとして選択された選択チャプタ、および、前記フォーカスチャプタおよび前記選択チャプタ以外のその他のチャプタを色分けして表示させる表示制御手段とを備える。
【００１７】
前記表示制御手段には、前記フォーカスチャプタが変更されたとき、前記画像として、変更後のチャプタの先頭の画像を表示させることができる。
【００１８】
前記表示制御手段には、所定のチャプタマークを削除して２つのチャプタを結合する場合、結合される２つのチャプタを、前記選択チャプタおよび前記その他のチャプタと色分けして表示させることができる。
【００１９】
前記結合される２つのチャプタの色と前記フォーカスチャプタの色は、異なる系統の色であるようにさせることができる。
【００２０】
本発明の第２の側面の情報処理方法は、複数のチャプタによって構成されるコンテンツに対して、前記チャプタの編集処理を行う情報処理装置の情報処理方法において、前記コンテンツの画像と、前記コンテンツ全体の長さに対応する走行バー、前記走行バー上に配置された、前記コンテンツ全体に対する前記画像の位置を表す再生ポイント、および、前記チャプタどうしの境界点を表すチャプタマークと、複数の前記チャプタについてのチャプタ情報とを画面に表示させるとともに、フォーカスされたチャプタであるフォーカスチャプタ、消去対象のチャプタとして選択された選択チャプタ、および、前記フォーカスチャプタおよび前記選択チャプタ以外のその他のチャプタを色分けして表示させるステップを含む。
【００２１】
本発明の第２の側面のプログラムは、複数のチャプタによって構成されるコンテンツに対して、前記チャプタの編集処理を、コンピュータに実行させるプログラムにおいて、前記コンテンツの画像と、前記コンテンツ全体の長さに対応する走行バー、前記走行バー上に配置された、前記コンテンツ全体に対する前記画像の位置を表す再生ポイント、および、前記チャプタどうしの境界点を表すチャプタマークと、複数の前記チャプタについてのチャプタ情報とを画面に表示させるとともに、フォーカスされたチャプタであるフォーカスチャプタ、消去対象のチャプタとして選択された選択チャプタ、および、前記フォーカスチャプタおよび前記選択チャプタ以外のその他のチャプタを色分けして表示させるステップを含む。
【００２２】
本発明の第２の側面においては、コンテンツの画像と、コンテンツ全体の長さに対応する走行バー、走行バー上に配置された、コンテンツ全体に対する画像の位置を表す再生ポイント、および、チャプタどうしの境界点を表すチャプタマークと、複数のチャプタについてのチャプタ情報とが画面に表示されるとともに、フォーカスされたチャプタであるフォーカスチャプタ、消去対象のチャプタとして選択された選択チャプタ、および、フォーカスチャプタおよび選択チャプタ以外のその他のチャプタが色分けして表示される。
【発明の効果】
【００２３】
本発明によれば、より簡単な操作で、チャプタを編集することができる。
【発明を実施するための最良の形態】
【００２４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
本発明の第１の側面の情報処理装置は、複数のチャプタによって構成されるコンテンツに対して、前記チャプタの編集処理を行う情報処理装置（例えば、図１の記録再生装置１）において、前記チャプタどうしの境界点を表すチャプタマークが配置された、前記コンテンツ全体の長さに対応する走行バーを画面に表示させる表示制御手段（例えば、図２の編集画面生成部４１）と、前記走行バー上の前記チャプタマークを移動、消去、または挿入することにより、前記チャプタを編集する編集手段（例えば、図２のチャプタ編集部４３）とを備える。
【００２６】
前記表示制御手段には、前記チャプタに関する情報であるチャプタ情報をさらに表示させ、前記編集手段には、消去対象の前記チャプタ情報をさらに選択させ、選択された１以上の前記チャプタを一括して消去する消去手段（例えば、図２のチャプタ消去部４４）をさらに設けることができる。
【００２７】
本発明の第１の側面の情報処理方法またはプログラムは、複数のチャプタによって構成されるコンテンツに対して、前記チャプタの編集処理を行う情報処理装置の情報処理方法、または、前記チャプタの編集処理を、コンピュータに実行させるプログラムにおいて、前記チャプタどうしの境界点を表すチャプタマークが配置された、前記コンテンツ全体の長さに対応する走行バーを画面に表示させ（例えば、図２１のステップＳ１）、前記走行バー上の前記チャプタマークを移動、消去、または挿入することにより、前記チャプタを編集する（例えば、図２１のステップＳ７およびＳ９）ステップを含む。
【００２８】
本発明の第２の側面の情報処理装置は、複数のチャプタによって構成されるコンテンツに対して、前記チャプタの編集処理を行う情報処理装置において、前記コンテンツの画像と、前記コンテンツ全体の長さに対応する走行バー、前記走行バー上に配置された、前記コンテンツ全体に対する前記画像の位置を表す再生ポイント、および、前記チャプタどうしの境界点を表すチャプタマークと、複数の前記チャプタについてのチャプタ情報とを画面に表示させるとともに、フォーカスされたチャプタであるフォーカスチャプタ、消去対象のチャプタとして選択された選択チャプタ、および、前記フォーカスチャプタおよび前記選択チャプタ以外のその他のチャプタを色分けして表示させる表示制御手段（例えば、図２の編集画面生成部４１）とを備える。
【００２９】
本発明の第２の側面の情報処理方法またはプログラムは、複数のチャプタによって構成されるコンテンツに対して、前記チャプタの編集処理を行う情報処理装置の情報処理方法において、前記コンテンツの画像と、前記コンテンツ全体の長さに対応する走行バー、前記走行バー上に配置された、前記コンテンツ全体に対する前記画像の位置を表す再生ポイント、および、前記チャプタどうしの境界点を表すチャプタマークと、複数の前記チャプタについてのチャプタ情報とを画面に表示させるとともに、フォーカスされたチャプタであるフォーカスチャプタ、消去対象のチャプタとして選択された選択チャプタ、および、前記フォーカスチャプタおよび前記選択チャプタ以外のその他のチャプタを色分けして表示させる（例えば、図２１のステップＳ１）ステップを含む。
【００３０】
以下、図を参照して、本発明の実施の形態について説明する。
【００３１】
図１は、本発明を適用した記録再生装置（情報処理装置）の一実施の形態の構成例を示している。
【００３２】
記録再生装置１は、自身で受信した番組のデータや外部入力された番組のデータを記録媒体としてのハードディスクまたはDVDに記録したり、ハードディスクまたはDVDに記録されている番組のデータを再生する。リモートコントローラ２は、記録再生装置１に対する動作指示としてのユーザの操作を受け付け、ユーザの操作に対応する操作信号を赤外線信号として記録再生装置１の操作入力部１２に送信する。操作入力部１２は、受信した操作信号をCPU１１に供給する。
【００３３】
なお、本実施の形態において、コンテンツとしての番組とは、後述するチューナ１７等で選局された所定の放送波の番組やケーブルテレビジョン放送の番組の他、入力端子１８から入力される、ユーザ自身がデジタルビデオカメラで作成した映像なども含まれる。
【００３４】
CPU１１は、ROM１３に記録されている所定のアプリケーションプログラムを読み出して、RAM１４にロードさせて実行することにより、記録再生装置１の全体の動作を制御する。Flash ROM１５には、CPU１１が実行する処理に必要な情報のうち、電源が切られたときも消去されない情報が保存される。
【００３５】
具体的には、CPU１１は、例えば、チューナ１７により選局されて得られた番組のデータ（番組データ）、または、入力端子１８から入力された番組データの記録（録画）が指令された場合、取得された番組データをNTSC（National TV Standards Committee）デコーダ２０によりNTSC方式でデコードさせ、MPEG(Moving Picture Experts Group）エンコーダ２１によりMPEG方式のうちのいずれかでエンコードさせた後、ドライブコントローラ２２に供給して、HDD２３のハードディスク、または、DVDドライブ２４に装着されているDVDに記録させる。
【００３６】
なお、CPU１１は、番組データをハードディスクまたはDVDに記録させる場合、番組の映像からシーンチェンジを検出し、検出されたシーンチェンジの位置をチャプタマークとして、番組データとともに記録させる。検出されたチャプタマークとチャプタマークとの間をチャプタと表し、１つの番組は、複数のチャプタで構成される。
【００３７】
また、CPU１１は、リモートコントローラ２において、ハードディスクまたはDVDに記録されている番組データのチャプタを編集する操作がユーザにより行われた場合、図６を参照して後述するチャプタ編集画面の映像信号を生成し、表示制御部２７に供給する。そして、CPU１１は、ユーザの操作に対応して、ユーザの所望の位置にチャプタマークを移動したり、挿入または消去する。
【００３８】
アンテナ１６は、放送波を受信し、受信された放送波をチューナ１７に供給する。チューナ１７は、受信された放送波から、ユーザの所望するチャンネルの放送波を選局し、選局されて得られた番組データを、スイッチ１９に供給する。入力端子１８は、例えば、ケーブルテレビジョン放送の番組データやビデオカメラ等で撮影された番組データの入力を受け、スイッチ１９に供給する。スイッチ１９は、チューナ１７により選局されて得られた番組データ、または、入力端子１８から入力された番組データをNTSCデコーダ２０に供給する。また、入力端子１８には、例えば、EPG（Electronic Program Guide）などの情報が供給される場合もある。供給されたEPGデータは、スイッチ１９、NTSCデコーダ２０、MPEGエンコーダ２１を介して（データの処理は、必要な場合にのみ実行されて）、CPU１１に供給され、例えば、ユーザによる録画予約操作を補助するためなどに利用される。
【００３９】
NTSCデコーダ２０は、供給された信号をNTSC方式でデコードし、MPEGエンコーダ２１に供給する。MPEGエンコーダ２１は、供給されたデータを、MPEGの規格（例えば、MPEG２、MPEG４など）に基づいた方式で圧縮符号化し、圧縮符号化された番組データをHDD２３のハードディスク、またはDVDドライブ２４に装着されているDVDに記録させるために、ドライブコントローラ２２に供給する。
【００４０】
ドライブコントローラ２２は、CPU１１の制御に基づいて、供給されたデータを、HDD２３またはDVDドライブ２４に供給して、ハードディスクまたはDVDに記録させたり、HDD２３またはDVDドライブ２４を駆動させて、ハードディスクまたはDVDに記録されているデータのうち、ユーザの所望するデータを読み出す。
【００４１】
HDD２３は、ハードディスクを駆動し、ドライブコントローラ２２から供給されたデータをハードディスクに記録したり、ハードディスクに記録されているデータを読み出して、ドライブコントローラ２２に供給する。
【００４２】
DVDドライブ２４は、装着されたDVDを駆動し、ドライブコントローラ２２から供給されたデータをDVDに記録したり、DVDに記録されているデータを読み出して、ドライブコントローラ２２に供給する。
【００４３】
MPEGデコーダ２５は、ドライブコントローラ２２から、再生出力されるデータの供給を受け、MPEGの規格（例えば、MPEG２、MPEG４など）に基づいた方式で供給されたデータのデコードを行い、映像信号は映像信号処理部２６に、音声信号は音声信号処理部２８に、それぞれ供給する。
【００４４】
映像信号処理部２６は、MPEGデコーダ２５によりデコードされた映像信号の供給を受け、NTSCフォーマットの信号に変換したり、D/A変換するなどの所定の処理を施し、表示制御部２７に供給する。表示制御部２７は、CPU１１の制御に基づいて、供給された映像信号の、例えば、テレビジョン受像機や外部のモニタなどにおける表示を制御する。
【００４５】
音声信号処理部２８は、MPEGデコーダ２５によりデコードされた音声信号の供給を受け、ノイズ除去や増幅、D/A変換などの所定の処理を行って、音声出力制御部２９に供給する。音声出力制御部２９は、CPU１１の制御に基づいて、供給された音声信号の、例えば、テレビジョン受像機や外部のスピーカなどにおける音声出力を制御する。
【００４６】
図２は、CPU１１がハードディスクまたはDVDに記録されている番組データのチャプタを編集する場合の機能的な構成を示すブロック図である。なお、本実施の形態では、ハードディスクに記録されている番組データのチャプタの編集を行う場合について説明するが、DVDに記録されている番組データのチャプタの編集を行う場合も同様である。
【００４７】
ハードディスクに記録されている番組データのチャプタの編集を行う場合、CPU１１は、編集画面生成部４１、操作判定部４２、チャプタ編集部４３、およびチャプタ消去部４４により構成される。
【００４８】
編集画面生成部４１は、図６を参照して後述するチャプタ編集画面の映像信号を生成し、表示制御部２７に供給する。また、編集画面生成部４１は、リモートコントローラ２において行われたユーザの操作に対応するチャプタ編集画面の制御も行う。例えば、編集画面生成部４１は、チャプタ編集画面上の所定のボタンにフォーカス（表示）を移動させたり、表示色を変更する制御なども行う。
【００４９】
操作判定部４２は、操作入力部１２を介してリモートコントローラ２から供給される操作信号に基づいて、チャプタマークの挿入若しくは消去、または、チャプタの消去などの、チャプタ編集に対するユーザの指示を判定する。判定結果は、チャプタ編集部４３またはチャプタ消去部４４に供給される。
【００５０】
チャプタ編集部４３は、操作判定部４２から供給される判定結果に基づいて、ハードディスクに対してチャプタマークの移動、消去（削除）、または挿入を行うことにより、チャプタの編集処理を行う。また、チャプタ編集部４３は、操作判定部４２から供給される判定結果に基づいて、チャプタの選択または非選択も行う。
【００５１】
チャプタ消去部４４は、操作判定部４２から供給される判定結果に基づいて、選択されているチャプタ（の番組データ）をハードディスクから消去する処理を行う。選択されているチャプタが複数存在する場合には、複数のチャプタが一括して消去される。
【００５２】
図３は、リモートコントローラ２に設けられている操作ボタンの一部を示している。
【００５３】
リモートコントローラ２には、電源を投入する電源ボタンやチャンネルを選局するチャンネルボタン、標準速度（１倍速）で番組データを再生（標準再生）する再生ボタン、再生を停止する停止ボタン、１．５倍速で番組データを再生（早見再生）する早見再生ボタン（いずれも図示せず）などの他、図３に示すように、上下左右の各方向を指示するための方向ボタン６１、決定ボタン６２、サブメニューなどを表示するためのオプションボタン６３、戻るボタン６４、再生中の番組データの所望の位置に対してチャプタマークを書込む（挿入する）チャプタマーク書込みボタン６５、設定されているチャプタマークを消去するチャプタマーク消去ボタン６６などを備えている。
【００５４】
次に、ユーザがチャプタマークの移動、挿入、若しくは消去、またはチャプタの消去を行うときに、記録再生装置１によってテレビジョン受像機等に表示されるチャプタ編集画面と、その操作について、図４乃至図２０を参照して説明する。
【００５５】
図４および図５は、メニュー画面の例を示す図である。
【００５６】
メニュー画面には、図４において点線で囲んで示すように、画面の横方向にそれぞれのカテゴリを表すアイコンであるカテゴリアイコン８１乃至８５が配列して表示される。また、図５において点線で囲んで示すように、カテゴリアイコン８１乃至８５の配列方向と直交する縦方向に、ユーザにより選択されているカテゴリに属するコンテンツを表すアイコンであるコンテンツアイコン９１乃至９４が配列して表示される。なお、図中の点線は、説明の便宜上付したものであり、実際に画面に表示されるものではない。他の図面についても同様である。
【００５７】
図４および図５の例においては、「フォト（Photo）」のカテゴリを表すカテゴリアイコン８１、「ミュージック（music）」のカテゴリを表すカテゴリアイコン８２、「ビデオ（video）」のカテゴリを表すカテゴリアイコン８３、「テレビ（television）」のカテゴリを表すカテゴリアイコン８４、および、「ゲーム（game）」のカテゴリを表すカテゴリアイコン８５が画面の左から右方向に配列して表示されている。
【００５８】
このようなメニュー画面において、ユーザは、基本的に、リモートコントローラ２の左右の方向ボタン６１でカテゴリを選択することができ、上下の方向ボタン６１で、選択しているカテゴリに属するコンテンツを選択することができる。
【００５９】
図４および図５の例においては、ハードディスクに記録されている番組の内容を表示する「ビデオ」がユーザにより選択され、「ビデオ」に属するコンテンツを表すアイコンであるコンテンツアイコン９１乃至９４が縦方向に配列して表示されている。このコンテンツアイコン９１乃至９４のうち、いま選択されているアイコンはコンテンツアイコン９２であり、その隣にはコンテンツアイコン９２に対応する番組のタイトル「ワールドカップサッカー２００６『日本×カメルーン』」が表示されている。
【００６０】
図５に示す状態で、ユーザがリモートコントローラ２のオプションボタン６３を操作すると、コンテンツアイコン９２に対応する番組に対する各種の処理、例えば、「番組の再生」、「DVDへのダビング」、「消去」、または「編集」などが画面に表示されて選択することができ、ユーザが、その中から番組の「編集」を選択して、さらに「編集」のなかのいくつかの項目のなかから、「チャプタ編集」を選択すると、編集画面生成部４１によって生成された図６のチャプタ編集画面１０１がテレビジョン受像機等に表示される。
【００６１】
チャプタ編集画面１０１は、番組タイトル領域１１１、再生画像領域１１２、操作ガイド領域１１３、走行バー領域１１４、チャプタ領域１１５、およびボタン領域１１６により構成されている。走行バー領域１１４、チャプタ領域１１５、およびボタン領域１１６は、再生画像領域１１２の上に重畳されている。
【００６２】
番組タイトル領域１１１には、この画面がチャプタ編集画面であることを表す「チャプタ編集」の文字と、チャプタ編集の対象としていま選択されている番組（以下、適宜、選択番組ともいう）のタイトルが表示される。図６では、番組のタイトルとして、『ワールドカップサッカー２００６「日本×カメルーン」』が表示されている。また、いま選択されている番組が地上アナログ放送の番組である場合には、タイトルの右横にG-Guideロゴも表示される。
【００６３】
再生画像領域１１２には、選択番組の画像のうちの、後述する再生ポイント１２２に対応する画像が表示される。従って、ユーザが再生ポイント１２２を移動したり、操作対象のチャプタを移動（変更）した場合には、再生画像領域１１２に表示される画像も変更する。
【００６４】
操作ガイド領域１１３には、ユーザの操作を補助する説明が表示される。操作ガイド領域１１３では、フォーカス（いま選択されている項目を識別する表示）がチャプタ領域１１５にある場合とボタン領域１１６にある場合とで異なる説明が表示される。
【００６５】
具体的には、図７に示されるように、フォーカスがチャプタ領域１１５にある場合には、ボタン領域１１６内のチャプタの分割、結合、消去、および終了の各機能を選択（機能選択）するためには下の方向ボタン６１を操作すればよいこと、いまフォーカスされているチャプタを消去するチャプタとして選択（消去チャプタ選択）するためには決定ボタン６２を操作すればよいこと、および、チャプタ編集画面１０１を終了するためには戻るボタン６４を操作すればよいことの説明が表示される。
【００６６】
一方、フォーカスがボタン領域１１６にある場合には、操作対象のチャプタを移動（チャプタ移動）するためには上の方向ボタン６１を操作すればよいこと、および、チャプタ編集画面１０１を終了するためには戻るボタン６４を操作すればよいことの説明が表示される。
【００６７】
なお、フォーカスはチャプタ領域１１５とボタン領域１１６とを移動し、走行バー領域１１４に移動することはない。
【００６８】
図６に戻り、走行バー領域１１４には、番組の全体の長さに対応する走行バー１２１が表示される。この走行バー１２１上には、番組に付されたチャプタマーク１２３（図中、縦棒で示されている）と、再生画像領域１１２に表示されている再生画像の番組全体に対する位置を表す再生ポイント１２２（図中、黒点で示されている）が配置されている。なお、図６では、チャプタマーク１２３の符号の図示が一部省略されているが、走行バー１２１上に配置されている縦棒は全てチャプタマーク１２３であり、チャプタマーク１２３から隣りのチャプタマーク１２３までが１つのチャプタを表す。
【００６９】
チャプタ編集画面１０１が表示された直後は、番組の先頭チャプタの先頭位置に再生ポイント１２２が位置した状態でポーズされるようになされており、再生画像領域１１２に表示される再生画像は、再生ポイント１２２に対応する、先頭チャプタの最初の静止画像となる。そして、後述するように、左右の方向ボタン６１を操作することによって、フォーカスされるチャプタを移動させることが可能であるが、チャプタが移動された場合、再生ポイント１２２は、移動後のチャプタの先頭位置にセットされる。
【００７０】
なお、リモートコントローラ２の再生ボタンや早見再生ボタンを操作することにより、静止画像ではなく動画像として画像を確認しながら、チャプタ（チャプタマーク）の編集を行うことも可能である。この場合、左右の方向ボタン６１が操作されることによって、フォーカスされるチャプタが移動されても、標準再生や早見再生の走行状態（再生状態）は維持される。但し、FF３乃至FR３（FF３，FF２，FF１，FR１，FR２，FR3）、スロー再生、スロー戻りの変速再生については、標準再生に速度が戻される。ここで、FFは早送りを表し、FRは早戻しを表す。また、番組の最後まで再生ポイント１２２が移動し、再生が終了した場合は、その最後の位置で再生ポイント１２２が停止（ポーズ）されるが、最後の位置に再生ポイント１２２がある状態で、左の方向ボタン６１が操作された場合、記録再生装置１は、最後のチャプタの１つ前のチャプタ（即ち、最後から２つ目のチャプタ）の先頭位置から標準再生する。
【００７１】
また、標準再生や早見再生の走行状態において、チャプタの分割、結合（前と結合）、および消去が実行された場合、走行状態は、再生を継続せずに、ポーズに変更される。但し、チャプタの分割、結合（前と結合）、および消去が警告となって実行できなかった場合（後述する図２２のステップＳ２３や図２５のステップＳ６２など）には、再生が継続される。
【００７２】
走行バー領域１１４の走行バー１２１の下側には、選択番組の走行状態を示す情報が表示される。図６では、ハードディスクからの再生であることを表す「HDD」、再生速度（1.5倍速）を表す、×1.5が添えられた「再生表示（三角の表示）」、録画モードを表す「SP」、早見再生であることを表す「早見」、および、再生ポイントの時間的な位置を表す再生カウンタ「０：２１：４５：１３」が表示される。再生カウンタは、「HH:MM:SS:FF（時：分：秒：フレーム番号）の形式で表示され、フレーム精度で表示される。
【００７３】
チャプタ領域１１５には、再生ポイント１２２が位置するチャプタを中心として含む５つのチャプタについての、チャプタ番号とチャプタ長（以下、適宜、チャプタ情報という）が表示される。図６では、チャプタ１乃至５のチャプタ情報が表示されており、中心に位置するチャプタ３にフォーカスがある。なお、図面では、フォーカスのある位置を白黒反転させた表示で表している。詳細は図９を参照して後述するが、ユーザが左右の方向ボタン６１を操作してチャプタを移動したとき、フォーカスは常に５つのチャプタの真ん中のチャプタにあり、チャプタ情報が方向ボタン６１に応じて移動するように表示が制御される。また、チャプタ領域１１５において、斜線が付されているチャプタ情報は、そのチャプタが消去対象のチャプタとして選択されていることを表す。
【００７４】
ボタン領域１１６には、フォーカスされているチャプタの再生ポイント１２２のある位置でチャプタ分割を行う「分割」ボタン１３１、フォーカスされているチャプタと、時間的にその前のチャプタとのチャプタ結合を行う「前と結合」ボタン１３２、消去対象として選択されたチャプタの消去を実行する「消去実行」ボタン１３３、および、チャプタ編集画面を終了する「終了」ボタン１３４が表示される。
【００７５】
チャプタ編集画面１０１が表示された直後は、フォーカスがチャプタ領域１１５にあり、ボタン領域１１６にフォーカスが移動されたときの最初の（デフォルトの）フォーカス位置は、「消去実行」ボタン１３３である。そして、「消去実行」ボタン１３３により消去実行された後は、チャプタ領域１１５にフォーカスが移動する。「分割」ボタン１３１や「前と結合」ボタン１３２が実行された後も、チャプタ領域１１５にフォーカスが移動する。但し、消去対象としてチャプタが選択されていない状態で、ボタン領域１１６にフォーカスが移動された場合には、フォーカス位置は「分割」ボタン１３１となる。また、一度ボタン領域１１６にフォーカスが移動された後、次にボタン領域１１６にフォーカスが移動されるときのフォーカス位置は、前回最後にフォーカスされていたボタンとなる。
【００７６】
次に、図８を参照して、走行バー領域１１４における、チャプタ消去実行後の再生ポイント１２２の位置について説明する。
【００７７】
記録再生装置１では、消去された複数のチャプタのうちの、時間的に最後のチャプタの次のチャプタの先頭位置に再生ポイント１２２が設定される。例えば、図８Ａに示すように、チャプタ１乃至６のうちの、チャプタ２とチャプタ４の消去が実行された場合、消去されたチャプタ４の次のチャプタ５の先頭位置に再生ポイント１２２が設定される。
【００７８】
なお、例えば、図８Ｂに示すように、チャプタ１乃至６のうちの、チャプタ２およびチャプタ４乃至６の消去が実行され、消去されたチャプタの次にチャプタが存在しない場合には、消去後の残存するチャプタの最後尾のチャプタの先頭位置に再生ポイント１２２が設定される。図８Bでは、チャプタ３の先頭位置に再生ポイント１２２が設定される。
【００７９】
図９を参照して、チャプタを移動したときのチャプタ領域１１５の表示について説明する。
【００８０】
図６のチャプタ編集画面１０１では、チャプタ領域１１５に表示するチャプタの数は、５つであるので、一列に５個のチャプタ情報を表示させたときの真ん中に位置するチャプタ情報にフォーカスが設定される。そして、ユーザが左右の方向ボタン６１を操作してチャプタを移動させると、フォーカスは移動せずに、チャプタ情報が方向ボタン６１に応じて左右にスクロール表示する。なお、チャプタ領域１１５内に一列に表示させるチャプタ情報の数は５個以外の数としてもよい。
【００８１】
図１０は、フォーカスがチャプタ領域１１５にあるときの、走行バー１２１とチャプタ領域１１５のチャプタ情報の表示色について示す表である。
【００８２】
まず、番組を構成する複数のチャプタのうち、チャプタ領域１１５でフォーカスされているチャプタ（以下、フォーカスチャプタという）と、フォーカスされていないチャプタ（以下、非フォーカスチャプタという）に大別することができる。フォーカスされているチャプタ、換言すれば、走行バー１２１において再生ポイント１２２が存在するチャプタは、黄色で表示される。
【００８３】
さらに、フォーカスチャプタが消去対象として選択されているか否かにより、同じ黄色でも表示色が若干異なる。フォーカスチャプタが消去対象として選択されている場合には、黄色でも濃い黄色（濃黄色）で表示され、フォーカスチャプタが消去対象として選択されていない場合には、黄色でも淡い黄色（淡黄色）で表示される。このように同系色の配色を用いつつも異なる色とすることにより、フォーカスチャプタが消去対象として選択されているか否かを走行バー１２１上で分かり易く表現している。
【００８４】
一方、非フォーカスチャプタにおいても、消去対象として選択されているか否かにより、表示色が異なる。非フォーカスチャプタが消去対象として選択されている場合には、灰色で表示され、非フォーカスチャプタが消去対象として選択されていない場合には、無色で表示される（特に色は付けない）。このようにして非フォーカスチャプタにおいても、消去対象として選択されているか否かが走行バー１２１上で分かり易く表現されている。
【００８５】
従って、例えば、図１１に示すように、走行バー１２１上の、非フォーカスチャプタで消去対象として選択されていないチャプタ１および４は無色で、非フォーカスチャプタで消去対象として選択されているチャプタ２および５は灰色で、フォーカスチャプタで消去対象として選択されていないチャプタ３は淡黄色で、それぞれ表示されている。
【００８６】
このように、フォーカスチャプタと非フォーカスチャプタとを異なる系統の色で表示することにより、操作対象のチャプタをユーザに分かり易くしている。
【００８７】
また、チャプタ領域１１５とボタン領域１１６では、フォーカスされている領域（図面では、白黒反転表示されている領域）が黄色で表示される。図１１では、チャプタ領域１１５にフォーカスがあり、チャプタ領域１１５のチャプタ３のチャプタ情報が、黄色で表示されている。
【００８８】
図１１に示す状態において、ユーザがリモートコントローラ２の決定ボタン６２を操作すると、フォーカスチャプタであるチャプタ３が消去対象として選択され、図１２に示すように、走行バー１２１上のチャプタ３は濃黄色に変更されるとともに、チャプタ領域１１５のチャプタ３のチャプタ情報に、そのチャプタが消去対象のチャプタとして選択されていることを表す斜線が付される。
【００８９】
なお、編集画面生成部４１は、ユーザがリモートコントローラ２の決定ボタン６２を操作した一瞬の間だけ、チャプタ領域１１５のチャプタ３のチャプタ情報を高輝度に明るくさせる。これにより、操作内容をユーザに分かり易くさせる。
【００９０】
以上のようにして消去対象としてのチャプタの選択が終了し、ユーザが、操作ガイド領域１１３に表示されている説明にしたがって下の方向ボタン６１を操作する。上述したように、チャプタが消去対象として選択された状態でボタン領域１１６にフォーカスが移動したときのフォーカス位置は、「消去実行」ボタン１３３であるので、編集画面生成部４１は、フォーカスをボタン領域１１６に移動させる。
【００９１】
図１３は、図１２に示した状態から、フォーカスがボタン領域１１６に移動したときの、走行バー領域１１４、チャプタ領域１１５、およびボタン領域１１６の表示を示している。図１３の実際のカラー表示された画面では、フォーカスがある「消去実行」ボタン１３３が黄色で表示され、走行バー領域１１４の走行バー１２１上の、消去対象として選択されているチャプタ２、３および５が、灰色で表示されている。
【００９２】
そして、フォーカスが「消去実行」ボタン１３３にある状態で、ユーザがリモートコントローラ２の決定ボタン６２を操作すると、編集画面生成部４１は、その一瞬の間だけ、「消去実行」ボタン１３３を高輝度に明るくさせる。これにより、操作内容をユーザに分かり易くさせる。
【００９３】
図１４は、図１１に示した状態から、ユーザの操作によって、フォーカスがボタン領域１１６の「分割」ボタン１３１に移動したときの、走行バー領域１１４、チャプタ領域１１５、およびボタン領域１１６の表示を示している。
【００９４】
図１４の実際のカラー表示された画面では、フォーカスがある「分割」ボタン１３１が黄色で表示されるとともに、チャプタ領域１１５の分割対象のチャプタ３のチャプタ情報が青色で表示されている。また、走行バー領域１１４の走行バー１２１上の、分割対象であるチャプタ３も黄色から青色に変更されている。
【００９５】
図１５は、フォーカスが図１４に示したようにボタン領域１１６の「分割」ボタン１３１にあるときの、走行バー１２１とチャプタ領域１１５のチャプタ情報の表示色について示す表である。
【００９６】
走行バー１２１において、編集画面生成部４１は、分割対象ではないチャプタについては、フォーカスがチャプタ領域１１５にあるときと同様に、無色または灰色で表示させる。一方、編集画面生成部４１は、分割対象のチャプタについては、青色で表示させる。また、編集画面生成部４１は、分割対象のチャプタであっても、そのチャプタが消去対象として選択されている場合は、濃い青色（濃青色）で表示させ、消去対象として選択されていない場合には、淡い青色（淡青色）で表示させる。従って、分割対象のチャプタと非分割対象のチャプタとを異なる系統の色で表示するので、分割対象のチャプタと非分割対象のチャプタの違いを際立たせ、ユーザに分割対象のチャプタを明確に認識させることができる。
【００９７】
そして、フォーカスが「分割」ボタン１３１にある状態で、ユーザがリモートコントローラ２の決定ボタン６２を操作すると、編集画面生成部４１は、その一瞬の間だけ、「分割」ボタン１３１を高輝度に明るくさせる。これにより、操作内容をユーザに分かり易くさせる。
【００９８】
図１４に示した状態において決定ボタン６２が操作されるか、または、リモートコントローラ２のチャプタマーク書込みボタン６５が操作されると、チャプタ編集部４３は、分割処理を実行する。
【００９９】
図１６は、分割処理前後のチャプタ編集画面１０１の走行バー領域１１４、チャプタ領域１１５、およびボタン領域１１６の表示を示している。
【０１００】
分割処理前の表示は、図１４に示した状態と同一である。
【０１０１】
チャプタの分割が指示されると、再生ポイント１２２がある位置で、チャプタが２つに分割される。即ち、チャプタ編集部４３は、分割前のチャプタ３の再生ポイント１２２がある位置にチャプタマーク１２３を挿入し、分割前のチャプタ３の先頭から、挿入されたチャプタマーク１２３までを、新しいチャプタ３（新チャプタ３）とし、挿入されたチャプタマーク１２３から、分割前のチャプタ３の最後までを、新しいチャプタ４（新チャプタ４）とする。
【０１０２】
分割処理後の走行バー領域１１４では、再生ポイント１２２がある新チャプタ３が黄色で表示され、チャプタ領域１１５では、フォーカスチャプタが新チャプタ４となって新チャプタ４のチャプタ情報が黄色で表示され、その左側に新チャプタ３のチャプタ情報が挿入表示されている。そして、新チャプタ３の挿入にともない、チャプタ２のチャプタ情報が左側にスクロールされている。また、新チャプタ４の発生にともない、分割前のチャプタ４は新チャプタ５に変更され、分割前のチャプタ５は新チャプタ６に変更されている。分割前のチャプタ３のチャプタ長は、１０分１８秒（１０：１８）であり、新チャプタ３のチャプタ長（７分４９秒）と新チャプタ４のチャプタ長（２分２９秒）の合計値と一致する。
【０１０３】
図１７は、図１６に示した分割処理後の状態から、ユーザの操作によって、フォーカスがボタン領域１１６の「前と結合」ボタン１３２に移動したときの、走行バー領域１１４、チャプタ領域１１５、およびボタン領域１１６の表示を示している。
【０１０４】
図１７の実際のカラー表示された画面では、フォーカスがある「前と結合」ボタン１３２が黄色で表示されるとともに、チャプタ領域１１５の結合元のチャプタ４のチャプタ情報が分割のときと同様の青色で表示され、チャプタ４の前のチャプタである、結合先のチャプタ３のチャプタ情報が紺色で表示されている。また、走行バー領域１１４の走行バー１２１上のチャプタ３と４も、それぞれ、紺色と青色に変更されている。
【０１０５】
図１８は、フォーカスがボタン領域１１６の「前と結合」ボタン１３２にあるときの、走行バー１２１とチャプタ領域１１５のチャプタ情報の表示色について示す表である。
【０１０６】
走行バー１２１において、編集画面生成部４１は、結合と関係ないチャプタについては、フォーカスがチャプタ領域１１５にあるときと同様に、無色または灰色で表示させる。また、編集画面生成部４１は、結合元のチャプタを、分割時と同様に青色（濃青色かまたは淡青色）で表示させ、結合先のチャプタを、紺色で表示させる。さらに、編集画面生成部４１は、紺色であっても、そのチャプタが消去対象として選択されている場合は、濃い紺色（濃紺色）で表示させ、消去対象として選択されていない場合には、淡い紺色（淡紺色）で表示させる。このように、結合元と結合先のチャプタは青系統の色で表示させ、それ以外を灰色または無色で表示させることにより、結合処理と関係のないチャプタと、結合対象のチャプタの違いを際立たせ、ユーザに結合対象のチャプタを明確に認識させることができる。
【０１０７】
図１７に示した状態において、リモートコントローラ２の決定ボタン６２が操作されるか、または、リモートコントローラ２のチャプタマーク消去ボタン６６が操作されると、図１９に示すように、編集画面生成部４１は、その一瞬の間だけ、「前と結合」ボタン１３２を高輝度に明るくさせるとともに、走行バー１２１とチャプタ領域１１５の結合先としてのチャプタ２を、チャプタ３と同色の青色で表示する。このように結合のイメージを色で表現することにより、操作内容がユーザに分かり易くなる。そして、チャプタ編集部４３は、チャプタ結合処理を実行する。
【０１０８】
図２０は、結合処理前後のチャプタ編集画面１０１の走行バー領域１１４、チャプタ領域１１５、およびボタン領域１１６の表示を示している。
【０１０９】
結合処理前の表示は、図１７に示す状態と同一である。
【０１１０】
チャプタの結合が指示されると、再生ポイント１２２があるチャプタを結合元チャプタとし、再生ポイント１２２があるチャプタの前（左）のチャプタを結合先チャプタとして、結合元チャプタと結合先チャプタの２つのチャプタが結合される。即ち、チャプタ編集部４３は、結合前のチャプタ４の（先頭の）チャプタマーク１２３を消去する。その結果、結合後のチャプタ３（新チャプタ３）は、結合前のチャプタ３の先頭から、結合前のチャプタ４の最後までとなる。
【０１１１】
結合処理後の走行バー領域１１４では、再生ポイント１２２が位置する新チャプタ３が黄色で表示され、チャプタ領域１１５では、フォーカスチャプタが新チャプタ３となって新チャプタ３のチャプタ情報が黄色で表示され、その左側に左端から右方向にスクロールされた新チャプタ２のチャプタ情報が表示されている。また、チャプタ領域１１５の元のチャプタ２の位置には、チャプタ１のチャプタ情報が表示されている。
【０１１２】
チャプタ３と４の結合にともない、結合前のチャプタ５以降のチャプタ番号が繰り上げられるので、結合前のチャプタ５が新チャプタ４となり、結合前のチャプタ６が新チャプタ５となされている。結合後のチャプタ３（新チャプタ３）のチャプタ長は、１０分１８秒（１０：１８）であり、結合前のチャプタ３のチャプタ長（７分４９秒）と結合前のチャプタ４のチャプタ長（２分２９秒）の合計値と一致する。
【０１１３】
なお、チャプタ編集部４３は、結合元または結合先のチャプタが消去対象として選択されている場合には、結合処理後、その選択を解除する。従って、結合後のチャプタは、消去対象として選択されていないチャプタとなる。
【０１１４】
次に、図２１のフローチャートを参照して、CPU１１によるチャプタ編集処理について説明する。この処理は、例えば、図４および図５を参照して説明したように、メニュー画面において所定のコンテンツアイコン９２が選択され、そのコンテンツアイコン９２に対応する番組に対して、サブメニューの「チャプタ編集」の項目が選択されたときに実行される。
【０１１５】
初めに、ステップＳ１において、編集画面生成部４１は、チャプタ編集画面１０１を表示させる。即ち、編集画面生成部４１は、チャプタ編集画面１０１の映像信号を生成し、表示制御部２７に供給する。これにより、表示制御部２７からの映像信号の出力先であるテレビジョン受像機などで、チャプタ編集画面１０１が表示される。
【０１１６】
ステップＳ２において、操作判定部４２は、操作入力部１２を介してリモートコントローラ２から供給される操作信号に基づいて、チャプタが選択されたかを判定する。ステップＳ２で、チャプタが選択されたと判定された場合、即ち、フォーカスがチャプタ領域１１５にある状態で、リモートコントローラ２の決定ボタン６２が操作された場合、ステップＳ３において、フォーカスチャプタを消去対象のチャプタとして選択するチャプタ選択処理が、編集画面生成部４１およびチャプタ編集部４３により実行される。チャプタ選択処理の詳細は、図２２を参照して後述する。
【０１１７】
一方、ステップＳ２で、チャプタが選択されていないと判定された場合、ステップＳ４において、操作判定部４２は、消去実行が選択されたかを判定する。ステップＳ４で、消去実行が選択されたと判定された場合、即ち、フォーカスが「消去実行」ボタン１３３にある状態で決定ボタン６２が操作された場合、ステップＳ５において、消去対象として選択されているチャプタを消去するチャプタ消去処理が、編集画面生成部４１およびチャプタ消去部４４により実行される。チャプタ消去処理の詳細は、図２３および図２４を参照して後述する。
【０１１８】
一方、ステップＳ４で、消去実行が選択されていないと判定された場合、ステップＳ６において、操作判定部４２は、ユーザによって、チャプタの分割が選択されたかを判定する。ステップＳ６で、チャプタの分割が選択されたと判定された場合、即ち、フォーカスが「分割」ボタン１３１にある状態で決定ボタン６２が操作されたか、または、リモートコントローラ２のチャプタマーク書込みボタン６５が操作された場合、ステップＳ７において、再生ポイント１２２があるチャプタを再生ポイント１２２の位置で２つに分割するチャプタ分割処理が、編集画面生成部４１およびチャプタ編集部４３により実行される。チャプタ分割処理の詳細は、図２５を参照して後述する。
【０１１９】
一方、ステップＳ６で、チャプタの分割が選択されていないと判定された場合、ステップＳ８において、操作判定部４２は、チャプタの結合が選択されたかを判定する。ステップＳ８で、チャプタの結合が選択されたと判定された場合、即ち、フォーカスが「分割」ボタン１３１にある状態で決定ボタン６２が操作されたか、または、リモートコントローラ２のチャプタマーク書込みボタン６５が操作された場合、再生ポイント１２２があるチャプタと、その前のチャプタを結合するチャプタ結合処理が、編集画面生成部４１およびチャプタ編集部４３により実行される。チャプタ結合処理の詳細は、図２６を参照して後述する。
【０１２０】
一方、ステップＳ８で、チャプタの結合が選択されていないと判定された場合、ステップＳ１０において、操作判定部４２は、ユーザによって、チャプタ編集の終了が選択されたかを判定する。ステップＳ１０で、チャプタ編集の終了が選択されていないと判定された場合、処理はステップＳ２に戻り、それ以降の処理が繰り返される。
【０１２１】
一方、ステップＳ１０で、チャプタ編集の終了が選択されたと判定された場合、即ち、フォーカスが「終了」ボタン１３４にある状態で決定ボタン６２が操作された場合、ステップＳ１１において、チャプタ編集部４３は、RAM１４に保存させておいた変更後の情報をハードディスクに書込むなどの後処理を実行する。後処理終了後、処理は終了する。なお、後処理実行中は、「お待ちください」等のメッセージ画面が表示される。
【０１２２】
図２２は、図２１のステップＳ３のチャプタ選択処理の詳細なフローチャートである。
【０１２３】
初めに、ステップＳ２１において、チャプタ編集部４３は、消去対象として選択されたチャプタが消去不可のチャプタであるかを判定する。記録再生装置１には、消去不可となるチャプタの条件がROM１３などに予め記憶されている。例えば、チャプタ長が極端に短いチャプタは消去できない場合がある。ステップＳ２１で、消去対象として選択されたチャプタが消去不可のチャプタであると判定された場合、ステップＳ２２において、チャプタ編集部４３は、消去不可のチャプタである旨のメッセージを編集画面生成部４１に表示させる。
【０１２４】
一方、ステップＳ２１で、消去対象として選択されたチャプタが消去不可のチャプタではないと判定された場合、ステップＳ２３において、編集画面生成部４１は、チャプタ領域１１５のフォーカスチャプタについて選択または非選択の表示をトグルさせる。即ち、フォーカスチャプタが選択表示されている（斜線が付されている）場合、編集画面生成部４１は、フォーカスチャプタの選択表示を解除（斜線を付さない）し、フォーカスチャプタが選択表示されていない場合、編集画面生成部４１は、フォーカスチャプタを選択表示させる（斜線を付す）。また、チャプタ編集部４３は、フォーカスチャプタを消去対象としてRAM１４に一時記憶させる。
【０１２５】
ステップＳ２２またはＳ２３の処理後は、図２１のステップＳ２に戻る。
【０１２６】
図２３は、図２１のステップＳ５のチャプタ消去処理の詳細なフローチャートである。
【０１２７】
初めに、ステップＳ４１において、編集画面生成部４１は、消去を確認する消去確認画面を表示させる。図２４は、消去確認画面の例を示している。画面には、「選択された２／１１個のチャプタを消去します。よろしいですか？」のメッセージが、「はい」および「いいえ」ボタンとともに表示されている。ここで、２／１１の分子は、消去対象として選択されているチャプタの数を表し、２／１１の分母は、番組全体のチャプタ数を表す。図２４に示す消去確認画面が表示されたとき、「いいえ」ボタンにデフォルトでフォーカスが設定されており、誤操作によるチャプタの消去を防止するため、ユーザがチャプタの消去を実行する場合には、「はい」ボタンにフォーカスを移動させる必要があるように設計されている。
【０１２８】
ステップＳ４２において、チャプタ消去部４４は、操作判定部４２からの判定結果に基づいて、消去が確認されたかを判定する。ステップＳ４２で、消去が確認されなかったと判定された場合、即ち、図２４の消去確認画面において「いいえ」ボタンが選択された場合、処理は、ステップＳ４３乃至Ｓ４７をスキップして、図２１のステップＳ２に戻る。
【０１２９】
一方、ステップＳ４２で、消去が確認されたと判定された場合、即ち、図２４の消去確認画面において「はい」ボタンが選択された場合、ステップＳ４３において、チャプタ消去部４４は、消去対象として選択されているチャプタをハードディスクから消去する。チャプタの消去処理中には、編集画面生成部４１によって、チャプタを消去中である旨のメッセージが画面に表示される。
【０１３０】
ステップＳ４４において、チャプタ消去部４４は、消去が成功したか、即ち、消去対象として選択されていた全てのチャプタを消去したかを判定する。ステップＳ４４で、消去が成功したと判定された場合、即ち、消去対象として選択されていた全てのチャプタが消去された場合、チャプタ消去部４４は、ステップＳ４５において、「消去しました」等の消去完了のメッセージを編集画面生成部４１に表示させる。
【０１３１】
一方、ステップＳ４４で、消去が失敗したと判定された場合、即ち、消去対象として選択されていたチャプタに対して消去できなかったチャプタがあった場合、チャプタ消去部４４は、ステップＳ４６において、「消去できませんでした」等の消去失敗のメッセージを編集画面生成部４１に表示させる。
【０１３２】
ステップＳ４５またはＳ４６の処理後、ステップＳ４７において、チャプタ消去部４４は、番組消去になったか、即ち、番組を構成する全チャプタが消去されたかを判定する。ステップＳ４７で、番組消去にはなっていないと判定された場合、図２１のステップＳ２に戻る。
【０１３３】
一方、ステップＳ４７で、番組消去になったと判定された場合、チャプタ編集処理を終了する。これにより、チャプタ編集画面１０１は終了し、図４のメニュー画面に戻る。
【０１３４】
図２５は、図２１のステップＳ７のチャプタ分割処理の詳細なフローチャートである。
【０１３５】
初めに、ステップＳ６１において、チャプタ編集部４３は、いま選択されている番組に設定されているチャプタの数（チャプタ数）が最大値を超えているかを判定する。なお、１番組に設定可能なチャプタ数の最大値は、例えば、１００個とする。
【０１３６】
ステップＳ６１で、チャプタ数が最大値を超えていると判定された場合、ステップＳ６２において、チャプタ編集部４３は、チャプタマーク書込み不可のメッセージを編集画面生成部４１に表示させる。
【０１３７】
一方、ステップＳ６１で、チャプタ数が最大値を超えていないと判定された場合、ステップＳ６３において、チャプタ編集部４３は、現在の再生ポイント１２２の位置にチャプタマーク１２３を書込む処理を行う。この処理により、挿入されたチャプタマーク１２３に関する情報が、RAM１４に一時記憶される。また、ステップＳ６３において、編集画面生成部４１は、図１６を参照して説明したように、走行バー領域１１４の走行バー１２１上に挿入されたチャプタマーク１２３を表示したり、フォーカス位置を変更したりする。
【０１３８】
ステップＳ６２またはＳ６３の処理後は、図２１のステップＳ２に戻る。
【０１３９】
図２６は、図２１のステップＳ９のチャプタ結合処理の詳細なフローチャートである。
【０１４０】
初めに、ステップＳ８１において、チャプタ編集部４３は、いま選択されているチャプタが先頭のチャプタ、即ち、チャプタ１であるかを判定する。なぜなら、チャプタの結合は、いま選択されているチャプタと、その前のチャプタとを結合するため、いま選択するチャプタ（すなわち、再生ポイント１２２があるチャプタ）が先頭のチャプタである場合、結合先のチャプタが存在しないことになり、チャプタの結合を実行することができないからである。
【０１４１】
ステップＳ８１で、いま選択されているチャプタが先頭のチャプタであると判定された場合、ステップＳ８２において、チャプタ編集部４３は、チャプタマーク消去不可のメッセージを編集画面生成部４１に表示させる。
【０１４２】
一方、ステップＳ８１で、いま選択されているチャプタが先頭のチャプタではないと判定された場合、ステップＳ８３において、チャプタ編集部４３は、いま選択されているチャプタの先頭にあるチャプタマーク１２３を消去する。消去されたチャプタマーク１２３に関する情報が、RAM１４に一時記憶される。また、ステップＳ８３において、編集画面生成部４１は、図２０を参照して説明したように、走行バー領域１１４の走行バー１２１上に挿入されたチャプタマーク１２３を消去したり、フォーカス位置を変更したりする。
【０１４３】
ステップＳ８２またはＳ８３の処理後は、図２１のステップＳ２に戻る。
【０１４４】
以上、説明したように、記録再生装置１においてチャプタを編集する場合、チャプタどうしの境界点を表すチャプタマーク１２３が配置された、コンテンツ全体の長さに対応する走行バー１２１をチャプタ編集画面１０１の一部として表示させ、走行バー１２１上のチャプタマーク１２３を消去または挿入することにより、チャプタを分割または結合するので、簡単な操作で、チャプタを編集することができる。
【０１４５】
また、チャプタマーク１２３を消去し、その結果結合されたチャプタ内の消去された位置と異なる位置に新たなチャプタマーク１２３を挿入することにより、チャプタマーク１２３の移動（チャプタ長の変更）をすることも勿論可能である。なお、チャプタマーク１２３の移動を消去と挿入により行うのではなく、例えば、走行バー領域１１４にもフォーカスが移動するようにして、チャプタマーク１２３を選択し、ドラック操作の要領で移動させたり、左右の方向ボタン６１等で移動させるようなインタフェースとすることも可能である。
【０１４６】
さらに、記録再生装置１では、チャプタ編集画面１０１において、消去対象としてのチャプタを複数選択しておき、「消去実行」ボタン１３３を操作することで、複数のチャプタを一括して消去することができるので、簡単な操作で、チャプタを編集することができる。
【０１４７】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１４８】
図２７は、上述した一連の処理をプログラムにより実行するコンピュータ３００のハードウエアの構成を示すブロック図である。CPU（Central Processing Unit）３０１は、ROM（Read Only Memory）３０２、または記憶部３０８に記憶されているプログラムに従って上述した機能の処理の他、各種の処理を実行する。RAM（Random Access Memory）３０３には、CPU３０１が実行するプログラムやデータなどが適宜記憶される。これらのCPU３０１、ROM３０２、およびRAM３０３は、バス３０４により相互に接続されている。
【０１４９】
CPU３０１にはまた、バス３０４を介して入出力インタフェース３０５が接続されている。入出力インタフェース３０５には、キーボード、マウス、マイクロホンなどよりなる入力部３０６、ディスプレイ、スピーカなどよりなる出力部３０７が接続されている。CPU３０１は、入力部３０６から入力される指令に対応して各種の処理を実行する。そして、CPU３０１は、処理の結果を出力部３０７に出力する。
【０１５０】
入出力インタフェース３０５に接続されている記憶部３０８は、例えばハードディスクからなり、CPU３０１が実行するプログラムや各種のデータを記憶する。通信部３０９は、インターネットやローカルエリアネットワークなどのネットワークを介して外部の装置と通信する。また、通信部３０９を介してプログラムを取得し、記憶部３０８に記憶してもよい。
【０１５１】
入出力インタフェース３０５に接続されているドライブ３１０は、磁気ディスク、光ディスク、光磁気ディスク、或いは半導体メモリなどのリムーバブルメディア３１１が装着されたとき、それらを駆動し、そこに記録されているプログラムやデータなどを取得する。取得されたプログラムやデータは、必要に応じて記憶部３０８に転送され、記憶される。
【０１５２】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１５３】
コンピュータにインストールされ、コンピュータによって実行可能な状態とされるプログラムを格納するプログラム記録媒体は、図２７に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア３１１、または、プログラムが一時的もしくは永続的に格納されるROM３０２や、記憶部３０８を構成するハードディスクなどにより構成される。プログラム記録媒体へのプログラムの格納は、必要に応じてルータ、モデムなどのインタフェースである通信部３０９を介して、ローカルエリアネットワーク、インターネット、デジタル衛星放送といった、有線または無線の通信媒体を利用して行われる。
【０１５４】
なお、本実施の形態では、チャプタ編集画面１０１において、フォーカスされているチャプタ、分割対象のチャプタ、または、結合対象のチャプタを識別する表示として、黄色や青色、灰色などの色で表示するように説明したが、これらを識別するための色は、互いに識別しやすい色であればその他の色でもよい。
【０１５５】
また、本実施の形態では、チャプタを結合する場合、いま選択されているチャプタ（再生ポイント１２２があるチャプタ）を結合元チャプタとし、その前のチャプタを結合先チャプタとして結合するようにしたが、結合先チャプタを、結合元チャプタの後のチャプタとするようにしてもよい。あるいは、結合相手を選択させるようにすることも可能である。
【０１５６】
本明細書において、フローチャートに記述されたステップは、記載された順序に沿って時系列的に行われる処理はもちろん、必ずしも時系列的に処理されなくとも、並列的あるいは個別に実行される処理をも含むものである。
【０１５７】
また、本発明の実施の形態は、上述した実施の形態に限定されるものではなく、本発明の要旨を逸脱しない範囲において種々の変更が可能である。
【図面の簡単な説明】
【０１５８】
【図１】本発明を適用した記録再生装置の一実施の形態の構成例を示すブロック図である。
【図２】チャプタを編集する場合のCPUの機能的な構成を示すブロック図である。
【図３】リモートコントローラに設けられている操作ボタンを説明する図である。
【図４】メニュー画面の例を示す図である。
【図５】メニュー画面の例を示す図である。
【図６】チャプタ編集画面の例を示す図である。
【図７】チャプタ編集画面の操作ガイド領域について説明する図である。
【図８】チャプタ消去実行後の再生ポイントの位置について説明する図である。
【図９】チャプタを移動したときのチャプタ領域の表示について説明する図である。
【図１０】チャプタを選択したときの表示について説明する図である。
【図１１】チャプタを選択したときの表示について説明する図である。
【図１２】チャプタを選択したときの表示について説明する図である。
【図１３】チャプタを消去したときの表示について説明する図である。
【図１４】チャプタを分割したときの表示について説明する図である。
【図１５】チャプタを分割したときの表示について説明する図である。
【図１６】チャプタを分割したときの表示について説明する図である。
【図１７】チャプタを結合したときの表示について説明する図である。
【図１８】チャプタを結合したときの表示について説明する図である。
【図１９】チャプタを結合したときの表示について説明する図である。
【図２０】チャプタを結合したときの表示について説明する図である。
【図２１】チャプタ編集処理について説明するフローチャートである。
【図２２】チャプタ選択処理について説明するフローチャートである。
【図２３】チャプタ消去処理について説明するフローチャートである。
【図２４】消去確認画面の例を示す図である。
【図２５】チャプタ分割処理について説明するフローチャートである。
【図２６】チャプタ結合処理について説明するフローチャートである。
【図２７】本発明を適用したコンピュータの一実施の形態の構成例を示すブロック図である。
【符号の説明】
【０１５９】
１  記録再生装置，  ２  リモートコントローラ，  １１  CPU，  １３  ROM，  １４  RAM，  ４１  編集画面生成部，  ４２  操作判定部，  ４３  チャプタ編集部，  ４４  チャプタ消去部，  ６５  チャプタマーク書込みボタン，  ６６  チャプタマーク消去ボタン，  １０１  チャプタ編集画面
【図１】
2008065964.tif 000003
【図２】
2008065964.tif 000004
【図３】
2008065964.tif 000005
【図４】
2008065964.tif 000006
【図５】
2008065964.tif 000007
【図６】
2008065964.tif 000008
【図７】
2008065964.tif 000009
【図８】
2008065964.tif 000010
【図９】
2008065964.tif 000011
【図１０】
2008065964.tif 000012
【図１１】
2008065964.tif 000013
【図１２】
2008065964.tif 000014
【図１３】
2008065964.tif 000015
【図１４】
2008065964.tif 000016
【図１５】
2008065964.tif 000017
【図１６】
2008065964.tif 000018
【図１７】
2008065964.tif 000019
【図１８】
2008065964.tif 000020
【図１９】
2008065964.tif 000021
【図２０】
2008065964.tif 000022
【図２１】
2008065964.tif 000023
【図２２】
2008065964.tif 000024
【図２３】
2008065964.tif 000025
【図２４】
2008065964.tif 000026
【図２５】
2008065964.tif 000027
【図２６】
2008065964.tif 000028
【図２７】
2008065964.tif 000029